【手続補正書】
【提出日】平成20年4月16日(2008.4.16)
【手続補正１】
【補正対象書類名】明細書
【補正対象項目名】特許請求の範囲
【補正方法】変更
【補正の内容】
【特許請求の範囲】
【請求項１】  コンフォーカル顕微鏡、コントローラ、およびホストコンピュータとを備えたコンフォーカル顕微鏡システムにおいて、
(a)  前記コンフォーカル顕微鏡は、
(1)試料からの光を集光する観察光学系，
(2)前記試料上の観察点を走査移動させる駆動手段，
(3)前記観察光学系の光を受光して画像信号に変換する受光手段，
を有し；
(b)  前記コントローラは、
(1)前記コンフォーカル顕微鏡の前記受光手段から出力された前記画像信号に基づいて、画像データを生成する画像キャプチャ手段，
(2)前記画像キャプチャ手段により生成された前記画像データを一時記憶する一時記憶手段，
(3)前記一時記憶手段に一時記憶された前記画像データを非同期送出する非同期送出手段，
(4)前記非同期送出手段を制御する第１のＣＰＵ，
(5)前記コンフォーカル顕微鏡の前記駆動手段に対して走査信号を出力し、前記走査移動を制御するとともに、前記画像キャプチャ手段に対して同期信号を出力する走査制御手段，
(6)前記画像キャプチャ手段および前記一時記憶手段から送出された前記画像データを転送するバス，
を有し；
(c)  前記ホストコンピュータは、
(1)前記一時記憶手段に一時記憶された前記画像データを非同期に取り込む非同期受信手段，
(2)前記コントローラの前記非同期送出手段に対して非同期転送要求を送出する第２のＣＰＵ，
(3)前記非同期受信手段によって取り込まれる前記画像データを処理する画像処理手段，
を有し；
(d)  前記ホストコンピュータの前記画像処理手段は、前記コントローラに対して前記非同期転送要求を送出し、前記一時記憶手段に一時記憶された前記画像データを前記一時記憶手段から前記非同期送出手段に転送し、
(e)  前記コントローラの前記第１のＣＰＵは、前記ホストコンピュータからの前記非同期転送要求に応じて、前記非同期送出手段を制御して、前記バスの空き時間である、前記走査信号の帰線時間又は、前記画像キャプチャ手段の蓄積待ち時間中に、前記バスを介して、前記一時記憶手段に一時記憶された前記画像データを前記ホストコンピュータの前記非同期受信手段に転送する
ことを特徴とするコンフォーカル顕微鏡システム。
【請求項２】  コンフォーカル顕微鏡、コントローラ、およびホストコンピュータとを備えたコンフォーカル顕微鏡システムにおいて、
(a)  前記コンフォーカル顕微鏡は、
(1)試料からの光を集光する観察光学系，
(2)前記試料上の観察点を走査移動させる駆動手段，
(3)前記観察光学系の光を受光して画像信号に変換する受光手段，
を有し；
(b)  前記コントローラは、
(1)前記コンフォーカル顕微鏡の前記受光手段から出力された前記画像信号に基づいて、画像データを生成する画像キャプチャ手段，
(2)前記画像キャプチャ手段により生成された前記画像データを一時記憶する一時記憶手段，
(3)前記一時記憶手段に一時記憶された前記画像データを非同期送出する非同期送出手段，
(4)前記駆動手段と前記画像キャプチャ手段と前記非同期送出手段とを制御するとともに、前記走査移動を制御する走査信号を出力する走査制御手段，
(5)前記画像キャプチャ手段および前記一時記憶手段から送出された前記画像データを転送するバス，
を有し；
(c)  前記ホストコンピュータは、
(1)前記一時記憶手段に一時記憶された前記画像データを非同期に取り込む非同期受信手段，
(2)前記コントローラの前記非同期送出手段に対して非同期転送要求を送出するＣＰＵ，
(3)前記非同期受信手段によって取り込まれる前記画像データを処理する画像処理手段，
を有し；
(d)  前記ホストコンピュータの前記画像処理手段は、前記コントローラに対して前記非同期転送要求を送出し、前記一時記憶手段に一時記憶された前記画像データを前記一時記憶手段から前記非同期送出手段に転送し、
(e)  前記コントローラは、前記ホストコンピュータからの前記非同期転送要求に応じて、前記非同期送出手段を制御して、前記バスの空き時間である、前記走査信号の帰線時間又は、前記画像キャプチャ手段の蓄積待ち時間中に、前記バスを介して、前記一時記憶手段に一時記憶された前記画像データを前記ホストコンピュータの前記非同期受信手段に転送する
ことを特徴とするコンフォーカル顕微鏡システム。
【請求項３】  請求項１に記載のコンフォーカル顕微鏡システムにおいて、
前記空き時間は、前記バス内に前記画像データがない時間である
ことを特徴とするコンフォーカル顕微鏡システム。
【請求項４】  請求項２に記載のコンフォーカル顕微鏡システムにおいて、
前記空き時間は、前記バス内に前記画像データがない時間である
ことを特徴とするコンフォーカル顕微鏡システム。
【請求項５】  コンピュータを、請求項１に記載の前記非同期受信手段および前記画像処理手段として機能させるための制御プログラム。
【手続補正２】
【補正対象書類名】明細書
【補正対象項目名】００１５
【補正方法】変更
【補正の内容】
【００１５】
第１の発明は、コンフォーカル顕微鏡、コントローラ、およびホストコンピュータとを備えたコンフォーカル顕微鏡システムにおいて、
(a)  コンフォーカル顕微鏡は、次の構成要件を有する。
(1)試料からの光を集光する観察光学系。
(2)試料上の観察点を走査移動させる駆動手段。
(3)観察光学系の光を受光して画像信号に変換する受光手段。
(b)  コントローラは、次の構成要件を有する。
(1)コンフォーカル顕微鏡の受光手段から出力された画像信号に基づいて、画像データを生成する画像キャプチャ手段。
(2)画像キャプチャ手段により生成された画像データを一時記憶する一時記憶手段。
(3)一時記憶手段に一時記憶された画像データを非同期送出する非同期送出手段。
(4)非同期送出手段を制御する第１のＣＰＵ。
(5)コンフォーカル顕微鏡の駆動手段に対して走査信号を出力し、走査移動を制御するとともに、画像キャプチャ手段に対して同期信号を出力する走査制御手段。
(6)画像キャプチャ手段および一時記憶手段から送出された画像データを転送するバス。
(c)  ホストコンピュータは、次の構成要件を有する。
(1)一時記憶手段に一時記憶された画像データを非同期に取り込む非同期受信手段。
(2)コントローラの非同期送出手段に対して非同期転送要求を送出する第２のＣＰＵ。
(3)非同期受信手段によって取り込まれる画像データを処理する画像処理手段。
(d)  ホストコンピュータの画像処理手段は、コントローラに対して非同期転送要求を送出し、一時記憶手段に一時記憶された画像データを一時記憶手段から非同期送出手段に転送する。
(e)  コントローラの第１のＣＰＵは、ホストコンピュータからの非同期転送要求に応じて、非同期送出手段を制御して、バスの空き時間である、走査信号の帰線時間又は、画像キャプチャ手段の蓄積待ち時間中に、バスを介して、一時記憶手段に一時記憶された画像データをホストコンピュータの非同期受信手段に転送する。
【手続補正３】
【補正対象書類名】明細書
【補正対象項目名】００１６
【補正方法】変更
【補正の内容】
【００１６】
第２の発明は、コンフォーカル顕微鏡、コントローラ、およびホストコンピュータとを備えたコンフォーカル顕微鏡システムにおいて、
(a)  コンフォーカル顕微鏡は、次の構成要件を有する。
(1)試料からの光を集光する観察光学系。
(2)試料上の観察点を走査移動させる駆動手段。
(3)観察光学系の光を受光して画像信号に変換する受光手段。
(b)  コントローラは、次の構成要件を有する。
(1)コンフォーカル顕微鏡の受光手段から出力された画像信号に基づいて、画像データを生成する画像キャプチャ手段。
(2)画像キャプチャ手段により生成された画像データを一時記憶する一時記憶手段。
(3)一時記憶手段に一時記憶された画像データを非同期送出する非同期送出手段。
(4)駆動手段と画像キャプチャ手段と非同期送出手段とを制御するとともに、走査移動を制御する走査信号を出力する走査制御手段。
(5)画像キャプチャ手段および一時記憶手段から送出された画像データを転送するバス。
(c)  ホストコンピュータは、次の構成要件を有する。
(1)一時記憶手段に一時記憶された画像データを非同期に取り込む非同期受信手段。
(2)コントローラの非同期送出手段に対して非同期転送要求を送出するＣＰＵ。
(3)非同期受信手段によって取り込まれる画像データを処理する画像処理手段。
(d)  ホストコンピュータの画像処理手段は、コントローラに対して非同期転送要求を送出し、一時記憶手段に一時記憶された画像データを一時記憶手段から非同期送出手段に転送する。
(e)  コントローラは、ホストコンピュータからの非同期転送要求に応じて、非同期送出手段を制御して、バスの空き時間である、走査信号の帰線時間又は、画像キャプチャ手段の蓄積待ち時間中に、バスを介して、一時記憶手段に一時記憶された画像データをホストコンピュータの非同期受信手段に転送する。